(57)【要約】【課題】操作つまみを右側の位置と左側の位置から中央位置に移動させる際に、操作つまみを確実に中央位置で停止させることができる電子部品を提供すること。【解決手段】上下ケース３０，１５０と、上下ケース３０，１５０に対して中央位置と右側の位置と左側の位置の３ポジションに移動自在に設置される操作つまみ１０とを具備する。操作つまみ１０の下面側に上下動自在に配置され且つ操作つまみ１０と一体に移動すると共に操作つまみ１０の上面側に露出するつまみ部６３を設けたロックつまみ６０を設ける。操作つまみ１０が中央位置に位置する際に、ロックつまみ６０を下降した状態では操作つまみ１０を右側の位置のみに移動可能とし、ロックつまみ６０を上昇させた状態では操作つまみ１０を左側の位置のみに移動可能に構成する。【選択図】図４
2015032485.tif 000002
【特許請求の範囲】
【請求項１】
静止側部材と、
前記静止側部材に対して少なくとも、中央位置と、前記中央位置の両側に位置する一方の位置及び他方の位置の３ポジションに移動自在に設置される操作つまみと、
前記操作つまみの移動に伴って出力信号を変化させる検出手段と、
を具備する電子部品であって、
前記電子部品はさらに、前記操作つまみの下面側に上下動自在に配置され且つ前記操作つまみと一体に移動すると共に前記操作つまみの上面側に露出するつまみ部を設けたロックつまみを有し、前記操作つまみが中央位置に位置する際に、前記ロックつまみを下降した状態では操作つまみを前記一方の位置のみに移動可能とし、前記ロックつまみを上昇させた状態では操作つまみを前記他方の位置のみに移動可能に構成したことを特徴とする電子部品。
【請求項２】
請求項１に記載の電子部品であって、
前記ロックつまみには、前記静止側部材に設けた第１被当接部に対して、ロックつまみを上昇させた状態では当接して操作つまみの中央位置から一方の位置への移動及び一方の位置から中央位置への移動を阻止し、一方ロックつまみを下降させた状態では当接しないで操作つまみの中央位置から一方の位置への移動及び一方の位置から中央位置への移動を可能とする第１当接部を設けたことを特徴とする電子部品。
【請求項３】
請求項１又は２に記載の電子部品であって、
前記ロックつまみには、前記静止側部材に設けた第２被当接部に対して、ロックつまみを下降させた状態では当接して操作つまみの中央位置から他方の位置への移動及び他方の位置から中央位置への移動を阻止し、一方ロックつまみを上昇させた状態では当接しないで操作つまみの中央位置から他方の位置への移動及び他方の位置から中央位置への移動を可能とする第２当接部を設けたことを特徴とする電子部品。
【請求項４】
請求項３に記載の電子部品であって、
前記静止側部材は、前記検出手段を収納するケースを有し、
前記ケースの上面を前記操作つまみを載置する載置部とし、
前記ケース内の天井面に前記第１被当接部を設け、前記ケース内の底面に前記第２被当接部を設けたことを特徴とする電子部品。
【発明の詳細な説明】
【技術分野】
【０００１】
本発明は、ロックつまみ付きの操作つまみを有する電子部品に関するものである。
【背景技術】
【０００２】
従来、例えば特許文献１の図１に示すように、スライド式スイッチの操作つまみ（４０）の下面側にロックつまみ（ストッパ用つまみ）（４０）を配置し、このロックつまみ（４０）のつまみ部（押圧突起）（３３）を操作つまみ（４０）の上面側に露出させておき、中立位置でロックされている操作つまみ（４０）の前記つまみ部（３３）を押し下げることで、前記ロックを解除し、これによって操作つまみ（４０）の左右へのスライド移動を可能にする構成のスライド式電子部品がある。
【先行技術文献】
【特許文献】
【０００３】
【特許文献１】特開平０８−３２９７７５号公報
【発明の概要】
【発明が解決しようとする課題】
【０００４】
上記構成のスライド式電子部品の場合、右側又は左側に移動した操作つまみ（４０）を、つまみ部（３３）を押圧しないで中央位置に移動すると、操作つまみ（４０）は中央位置でロックがかかり、停止する。
【０００５】
しかしながら例えば、中央位置にある操作つまみ（４０）を、つまみ部（３３）を押圧してロックを外した状態で、右側又は左側に移動し、その状態（ロックを外した状態）のまま中央位置に戻そうとすると、中央に戻そうとする力の勢いが余って、反対の左側又は右側まで操作つまみ（４０）が移動してしまう場合があった。この現象は、右側又は左側で静止している操作つまみ（４０）を中央位置に移動しようとする場合も、操作つまみ（４０）を操作する指が、意図せずに操作つまみ（４０）中央のつまみ部（３３）を押し下げてしまい、生じてしまう場合もあった。
【０００６】
つまりロックを外した状態で操作つまみを移動したときに、意図した位置で止まらずに、次のポジションまで移動してしまう場合があった。このように操作つまみ（４０）が意図しない位置まで移動すると、操作者の意図に反する電子機器の動作が生じてしまう。
【０００７】
本発明は上述の点に鑑みてなされたものでありその目的は、操作つまみを中央位置の両側に位置する一方の位置と他方の位置から中央位置に移動させる際に、操作つまみを確実に中央位置で停止させることができる電子部品を提供することにある。
【課題を解決するための手段】
【０００８】
本発明は、静止側部材と、前記静止側部材に対して少なくとも中央位置と前記中央位置の両側に位置する一方の位置及び他方の位置の３ポジションに移動自在に設置される操作つまみと、前記操作つまみの移動に伴って出力信号を変化させる検出手段と、を具備する電子部品であって、前記電子部品はさらに、前記操作つまみの下面側に上下動自在に配置され且つ前記操作つまみと一体に移動すると共に前記操作つまみの上面側に露出するつまみ部を設けたロックつまみを有し、前記操作つまみが中央位置に位置する際に、前記ロックつまみを下降した状態では操作つまみを前記一方の位置のみに移動可能とし、前記ロックつまみを上昇させた状態では操作つまみを前記他方の位置のみに移動可能に構成したことを特徴とする。
即ち、ロックつまみを下降した状態では操作つまみを中央位置から一方の位置には移動できるが、中央位置から他方の位置には移動できない。一方ロックつまみを上昇させた状態では操作つまみを中央位置から他方の位置には移動できるが、中央位置から一方の位置には移動できない。これによって、操作つまみを一方の位置と他方の位置から中央位置に向けて移動させる際に、操作つまみを確実に中央位置で停止させることができる。
【０００９】
また本発明は、前記ロックつまみに、前記静止側部材に設けた第１被当接部に対して、ロックつまみを上昇させた状態では当接して操作つまみの中央位置から一方の位置への移動及び一方の位置から中央位置への移動を阻止し、一方ロックつまみを下降させた状態では当接しないで操作つまみの中央位置から一方の位置への移動及び一方の位置から中央位置への移動を可能とする第１当接部を設けたことを特徴とする。
即ち、ロックつまみに設けた第１当接部と静止側部材に設けた第１被当接部の作用により、ロックつまみを下降させない限り、操作つまみの中央位置から一方の位置への移動と、一方の位置から中央位置への移動とを、確実に阻止することができる。
【００１０】
また本発明は、前記ロックつまみに、前記静止側部材に設けた第２被当接部に対して、ロックつまみを下降させた状態では当接して操作つまみの中央位置から他方の位置への移動及び他方の位置から中央位置への移動を阻止し、一方ロックつまみを上昇させた状態では当接しないで操作つまみの中央位置から他方の位置への移動及び他方の位置から中央位置への移動を可能とする第２当接部を設けたことを特徴とする。
即ち、ロックつまみに設けた第２当接部と静止側部材に設けた第２被当接部の作用により、ロックつまみを上昇させない限り、操作つまみの中央位置から他方の位置への移動と、他方の位置から中央位置への移動とを、確実に阻止することができる。
【００１１】
また本発明は、前記静止側部材が、前記検出手段を収納するケースを有し、前記ケースの上面を前記操作つまみを載置する載置部とし、前記ケース内の天井面に前記第１被当接部を設け、前記ケース内の底面に前記第２被当接部を設けたことを特徴とする。
ケース内の天井面と底面という離れた部分を利用してそれぞれ第１被当接部と第２被当接部とを設置したので、両者の設置にスペース的な余裕が生じ、これら第１，第２被当接部及びこれらに当接する第１，第２当接部の設置が容易になり、電子部品の小型化にも対応できる。
【発明の効果】
【００１２】
本発明によれば、操作つまみを中央位置の両側に位置する一方の位置と他方の位置から中央位置に移動させる際に、操作つまみを確実に中央位置で停止させることができる。
【図面の簡単な説明】
【００１３】
【図１】スライド式電子部品１−１の斜視図である。
【図２】スライド式電子部品１−１の分解斜視図である。
【図３】スライド式電子部品１−１を下面側から見た分解斜視図である。
【図４】スライド式電子部品１−１の断面図（図１のＡ−Ａ断面図）である。
【図５】上ケース３０を図３とは別の角度（逆方向）から見た斜視図である。
【図６】スライド式電子部品１−１のロック機構の動作説明図である。
【図７】スライド式電子部品１−１のロック機構の動作説明図である。
【図８】スライド式電子部品１−１のロック機構の動作説明図である。
【図９】スライド式電子部品１−１のロック機構の動作説明図である。
【図１０】スライド式電子部品１−１のロック機構の動作説明図である。
【図１１】スライド式電子部品１−１のロック機構の動作説明図である。
【図１２】回転式電子部品１−２の斜視図である。
【発明を実施するための形態】
【００１４】
以下、本発明の実施形態を図面を参照して詳細に説明する。図１は本発明の１実施形態にかかるスライド式電子部品１−１の斜視図、図２はスライド式電子部品１−１の分解斜視図、図３はスライド式電子部品１−１を下面側から見た分解斜視図、図４はスライド式電子部品１−１の断面図（図１のＡ−Ａ断面図）である。これらの図に示すようにスライド式電子部品１−１は、下ケース１５０上に、回路基板（以下「フレキシブル回路基板」という）１４０と、摺動子１３０を取り付けた摺動子取付体１２０と、移動体９０と、ロックつまみ６０と、上ケース３０と、操作つまみ１０とを設置して構成されている。上ケース３０と下ケース１５０を合わせてケースという。なお以下の説明において、「上」とはロックつまみ６０から操作つまみ１０を見る方向をいい、「下」とはその反対方向をいうものとする。また操作つまみ１０が移動する方向を、スライド方向Ｓ又は前後方向というものとする。また上ケース３０とフレキシブル回路基板１４０と下ケース１５０とを静止側部材という。
【００１５】
操作つまみ１０は合成樹脂の成形品であり、略平板状のつまみ本体部１１の中央に上下に貫通するつまみ貫通部１３を設け、また操作つまみ１０下面の前記つまみ貫通部１３を挟んだ両側に下方向に向かって突出する一対の係止兼ストッパ部１５，１５を設けて構成されている。つまみ貫通部１３は長円形状（楕円形状）であり、下記するロックつまみ６０のつまみ部６３を挿通する寸法形状に形成されている。係止兼ストッパ部１５は略平板状であって、下記するロックつまみ６０のガイド部７７に挿通される部分１５ａと、その先端側の下記する移動体９０の係止部９１に挿通される部分１５ｂとを具備している。係止兼ストッパ部１５の部分１５ａのスライド方向Ｓに略垂直な前後の面はストッパ用当接部１７になっている。なお操作つまみ１０の上面は、指などによって操作つまみ１０を操作する操作面１９である。
【００１６】
図５は上ケース３０を図３とは別の角度（逆方向）から見た斜視図である。図１〜図５に示すように、上ケース３０は合成樹脂の成形品であり、下面が解放された、スライド方向Ｓに向かって細長で略矩形の箱型に形成して構成されている。上ケース３０の上面は前記操作つまみ１０を載置する載置部３１となっており、また上ケース３０の上面中央には略矩形状に貫通する開口３３が形成されている。開口３３の内周辺のスライド方向Ｓに略直交する一対の辺の両端近傍部分は、ストッパ部３５となっている。上ケース３０の下面側の凹部は収納部３７を構成している。また上ケース３０の下面の前記開口３３の４隅には、下方向に突出する略矩形状の小突起からなる第１被当接部３９が形成されている。第１被当接部３９の前後の面は第１被当接面４１となっている。
【００１７】
上ケース３０の外周側壁の下面からは６つの小突起からなる取付部４３が突出している。また上ケース３０の長手方向に沿う一対の外周側壁の下端辺内側の対向する所定位置には、下記する移動体９０に設けたガイド突起９３をスライド移動自在にガイドするガイド溝４５が形成されている。また図５に示すように、上ケース３０のスライド方向Ｓに沿う一方の外周側壁の内側面には、連続する凹凸によって形成される３つの凹部からなるクリック係合部４９ａ，４９ｂ，４９ｃが形成されている。
【００１８】
ロックつまみ６０は合成樹脂の成形品であり、略矩形状の本体部６１の上面からつまみ部６３を突出して構成されている。つまみ部６３はその横断面が長円形状（楕円形状）であって、その長手方向がスライド方向Ｓに沿っている。本体部６１の上面のスライド方向Ｓに沿う左右両側辺近傍の前後の位置には、４つの第１当接部６５が形成されている。各第１当接部６５は、それらの前後の面が第１当接面６７となっている。
【００１９】
本体部６１のスライド方向Ｓに垂直な一端面には、第２当接部６９が形成されている。第２当接部６９の中央には凹状に切欠いてなる挿通部７１が形成され、これによって第２当接部６９は２つに分割されている。第２当接部６９の前後の面は第２当接面７３となっている。本体部６１の下面の前記つまみ部６３の真下の位置には、円形で凹状のバネ収納部７５が形成されている。バネ収納部７５内にはコイルバネからなる弾発手段８１が収納される。またつまみ部６３の左右両側に位置する本体部６１には、前記操作つまみ１０の係止兼ストッパ部１５の部分１５ａを挿入してロックつまみ６０の上下方向の移動をガイドするスリット状の貫通孔からなる一対のガイド部７７，７７が形成されている。
【００２０】
移動体９０は合成樹脂の成形品であり、略矩形状に形成され、その上面の前記ロックつまみ６０のガイド部７７，７７に対向する位置には、前記操作つまみ１０の係止兼ストッパ部１５の部分１５ｂを挿入・係合して操作つまみ１０と一体に移動自在とするスリット状の貫通孔からなる一対の係止部９１，９１が形成されている。移動体９０の前後方向の一方の端部の左右両側端には、幅方向に突出する一対のガイド突起９３，９３が形成されている。移動体９０の前記ガイド突起９３を設けたのと反対側の端部近傍の一方の側面には、凹状のバネ収納穴９５が形成されている。バネ収納穴９５には、コイルバネからなる弾発手段１１１とボール状のクリック係合部材１１３とが収納される。移動体９０の下面の所定位置には、下記する摺動子取付体１２０を収納する略矩形状の凹部からなる取付体収納部９７が形成されている。取付体収納部９７の底面中央には、小突起状の係止部９９が形成されている。取付体収納部９７の底面には、弾発手段１１１とクリック係合部材１１３を前記バネ収納穴９５に挿入する挿入口１０１が設けられている。
【００２１】
摺動子取付体１２０は合成樹脂の成形品であり、略矩形状に成形され、その中央には前記移動体９０の係止部９９を係合する小孔からなる係合部１２１が形成され、またその下面は摺動子取付面１２３となっている。摺動子取付面１２３には、２つの小突起からなる係止部１２５が形成されている。
【００２２】
摺動子１３０は弾性金属板製であり、略矩形状の基部１３１の１辺から３本の摺動冊子１３３を突出し、それらの根元部分を１８０°折り返してそれらの先端の接点１３５を基部１３１の下面側に位置して構成されている。基部１３１には前記摺動子取付体１２０の各係止部１２５を挿入する２つの係止孔１３７が形成されている。
【００２３】
フレキシブル回路基板１４０は、合成樹脂フィルム（例えばポリエチレンテレフタレートフィルム）製のフレキシブル基板１４１上に３本の摺接パターン１４３を形成して構成されている。なお図示は省略しているが、フレキシブル基板１４１上には、各摺接パターン１４３に接続される回路パターンも形成されている。摺接パターン１４３は３本の直線状の導電パターンで構成され、前記摺動子１３０の３つの接点１３５が同時に３本の摺接パターン１４３に当接する位置Ｅと、２本の摺接パターン１４３に当接する位置Ｆと、全ての摺接パターン１４３の何れにも当接しない位置Ｇとを有している。フレキシブル回路基板１４０の周囲の、前記上ケース３０の各取付部４３に対向する位置には、これら取付部４３を挿通する小孔からなる被取付部１４５が形成されている。またフレキシブル回路基板１４０には、下記する下ケース１５０の突出部１５３を挿通する略十字形状の挿通孔１４７も形成されている。
【００２４】
下ケース１５０は合成樹脂の成形品であり、略平板状であって、その周囲の前記上ケース３０の各取付部４３に対向する位置には、これら取付部４３を挿通する小孔からなる被取付部１５１が形成されている。また下ケース１５０の上面のスライド方向Ｓの一端部近傍には、横断面十字状の柱からなる突出部１５３が設けられている。突出部１５３の内のスライド方向Ｓに直交する方向を向く部分は、第２被当接部１５５、スライド方向Ｓに沿う方向を向く部分は補強部１５７となっている。補強部１５７は前記ロックつまみ６０の挿通部７１に挿入される寸法に形成されている。第２被当接部１５５の前後の面は第２被当接面１５９となっている。
【００２５】
次にスライド式電子部品１−１の組立方法の一例を説明する。まず予め、摺動子取付体１２０下面の摺動子取付面１２３に摺動子１３０の基部１３１を設置し、その際摺動子取付体１２０の各係止部１２５を摺動子１３０の各係止孔１３７に挿入し、係止部１２５の先端を熱カシメして固定しておく。
【００２６】
そして上ケース３０の載置部３１上に操作つまみ１０を載置し、その際操作つまみ１０の係止兼ストッパ部１５，１５を上ケース３０の開口３３に挿入する。次に上ケース３０の収納部３７内にロックつまみ６０を収納し、その際ロックつまみ６０のつまみ部６３を操作つまみ１０のつまみ貫通部１３に挿入すると同時に、操作つまみ１０の係止兼ストッパ部１５，１５の部分１５ａ，１５ａをガイド部７７，７７に上下動自在に挿入する。
【００２７】
次にロックつまみ６０下面のバネ収納部７５に弾発手段８１を収納する。次に上ケース３０の収納部３７内のロックつまみ６０の下側に移動体９０を収納する。このとき操作つまみ１０の係止兼ストッパ部１５，１５の部分１５ｂ，１５ｂを移動体９０の係止部９１，９１に挿入し、それらの先端を熱かしめする。次に移動体９０の挿入口１０１からバネ収納穴９５内にクリック係合部材１１３と弾発手段１１１とを挿入する。次に移動体９０の取付体収納部９７に摺動子１３０を取り付けた摺動子取付体１２０を挿入し、その際移動体９０の係止部９９を摺動子取付体１２０の係合部１２１に挿入・係合する。
【００２８】
次に上ケース３０の下面にフレキシブル回路基板１４０と下ケース１５０を配置し、その際上ケース３０の各取付部４３をフレキシブル回路基板１４０の各被取付部１４５と、下ケース１５０の各被取付部１５１とに挿入し、各取付部４３の先端を下ケース１５０の下面で熱かしめする。このとき、下ケース１５０の突出部１５３は、フレキシブル回路基板１４０の挿通孔４７に挿通されている。これによってスライド式電子部品１−１が完成する。なお上記組立手順はその一例であり、他の各種異なる組立手順を用いて組み立てても良いことはいうまでもない。
【００２９】
図１，図４に示すスライド式電子部品１−１は、操作つまみ１０が上ケース３０に対して一方の側（図４の最も右側）に位置した状態を示している。このとき摺動子１３０の３つの接点部１３５は、同時に３本の摺接パターン１４３に当接する位置Ｅ（図２参照）に位置しており、クリック係合部材１１３は図５に示すクリック係合部４９ａに係合して安定している。またロックつまみ６０は弾発部材８１によって上方向に弾発されている。なお図２，図３に示すように、ロックつまみ６０と、上ケース３０の第１被当接部３９と下ケース１５０の第２被当接部１５５によって、ロック機構が構成されている。またロックつまみ６０が操作つまみ１０の下面側に上下動自在で上方向に弾発されて配置され、且つ操作つまみ１０と一体に移動し、さらにロックつまみ６０のつまみ部６３が操作つまみ１０の上面側に露出していることは、図４からも明らかである。また摺動子１３０と摺接パターン１４３によって、操作つまみ１０の移動に伴って出力信号が変化する検出手段が構成されている。
【００３０】
図６〜図１１は、スライド式電子部品１−１のロック機構の動作説明図であって、上下ケース３０，１５０とロックつまみ６０とフレキシブル回路基板１４０の位置関係のみを示しており、各図（ａ）は図１のＢ−Ｂ断面図であって第２当接部６９と第２被当接部１５５の位置関係が分かる部分、各図（ｂ）は図１のＣ−Ｃ断面図であって第１当接部６５と第１被当接部３９の位置関係が分かる部分を切断している。
【００３１】
以下、スライド式電子部品１−１の動作をロック機構の動作と併せて説明する。なお以下の動作説明において、図６〜図１１の左を左、右を右と表現することとする。まず、図１，図４，図６に示すように、操作つまみ１０が右側に位置する際は、前述のように、クリック係合部材１１３がクリック係合部４９ａに係合し、同時に摺動子１３０の３つの接点部１３５が３本の摺接パターン１４３に当接してこれら３本の摺接パターン１４３間を導通している。同時に図６（ｂ）に示すように、ロックつまみ６０の一対（４個。以下同じ）の第１当接部６５の各左側の第１当接面６７が、上ケース３０の一対（４個。以下同じ）の第１被当接部３９の各右側の第１被当接面４１に当接し、これによってロックつまみ６０は、ロックつまみ６０を下降させない限りは左方向に移動できない状態にロックされている。なおこのとき、操作つまみ１０及びロックつまみ６０の右方向への移動は、操作つまみ１０の係止兼ストッパ部１５の右側のストッパ用当接部１７が上ケース３０の右側のストッパ部３５に当接することで確実に阻止される。
【００３２】
次に図７に示すように、つまみ部６３を押し下げると第１当接部６５も下降するので、前記ロックが解除され、左方向への移動が可能になる。つまり、つまみ部６３を押し下げながら、同時に操作つまみ１０を左方向に移動すると、図７においてロックが解除された後に、図８に示すように、操作つまみ１０及びロックつまみ６０は左方向に移動する。操作つまみ１０及びロックつまみ６０の左方向への移動は図８（ａ）に示すように、ロックつまみ６０の第２当接部６９の左側の第２当接面７３が下ケース１５０の第２被当接部１５５の右側の第２被当接面１５９に当接することで確実に阻止され、停止する。同時に摺動子１３０の接点部１３５は摺接パターン１４３上を摺動して図２に示す位置Ｆまで移動し、２本の摺接パターン１４３間のみを導通する。同時にクリック係合部材１１３は上ケース３０のクリック係合部４９ａからその隣のクリック係合部４９ｂに凸部を乗り越えて移動し、クリック感触を生じる。
【００３３】
次に前記つまみ部６３への押圧を解除すると、弾発手段８１の弾発力によって、図９に示すように、ロックつまみ６０は上昇する。このときロックつまみ６０の一対の第１当接部６５の右側の第１当接面６７が、上ケース３０の一対の第１被当接部３９の左側の第１被当接面４１に当接し、これによってロックつまみ６０は、ロックつまみ６０を下降させない限りは右方向に移動できない状態にロックされている。一方このとき左方向にはロックされていない。
【００３４】
次に前記つまみ部６３を押圧しない図９の状態のまま、操作つまみ１０を左方向に移動すると、図１０に示すように、操作つまみ１０及びロックつまみ６０は左方向に移動する。左方向への移動は、操作つまみ１０の係止兼ストッパ部１５の左側のストッパ用当接部１７が上ケース３０の左側のストッパ部３５に当接することで確実に阻止される。同時に摺動子１３０の接点部１３５は摺接パターン１４３上を摺動して図２に示す位置Ｇまで移動し、何れの摺接パターン１４３とも当接しなくなる。同時にクリック係合部材１１３は上ケース３０のクリック係合部４９ｂからその隣のクリック係合部４９ｃに凸部を乗り越えて移動し、クリック感触を生じる。
【００３５】
次に図１０の状態で、つまみ部６３を押し下げると、図１１に示すように、第２当接部６９の右側の第２当接面７３が第２被当接部１５５の左側の第２被当接面１５９に当接し、これによってロックつまみ６０は、ロックつまみ６０を上昇しない限りは右方向に移動できない状態にロックされる。
【００３６】
以上の説明及び図６〜図１１の記載から明らかなように、操作つまみ１０が中央位置に位置する際、ロックつまみ６０を下降した状態では操作つまみ１０は中央位置と右側の位置間のみで移動可能であり（ロックつまみ６０を押圧した状態では、図８，図１１に示すように、操作つまみ１０及びロックつまみ６０は中央位置と左側の位置間では何れの方向にも移動できない）、一方ロックつまみ６０を上昇させた状態では操作つまみ１０は中央位置と左側の位置間のみで移動可能になる（ロックつまみ６０が上昇した状態では、図６，図９に示すように、操作つまみ１０及びロックつまみ６０は中央位置と右側の位置間では何れの方向にも移動できない）。
【００３７】
即ち、右側の位置にある操作つまみ１０を、ロックつまみ６０を押圧してロックを解除した状態で、中央位置に向けて移動させた場合、中央位置に移動した操作つまみ１０は図８（ａ）に示すように、第２当接部６９と第２被当接部１５５間の当接によって、確実に中央位置で停止し、力が余って左側に移動してしまうことはない。一方左側の位置にある操作つまみ１０を、ロックつまみ６０を上昇してロックを解除した状態で、中央位置に向けて移動させた場合、中央位置に移動した操作つまみ１０は図９（ｂ）に示すように、第１当接部６５と第１被当接部３９間の当接によって、確実に中央位置で停止し、力が余って右側に移動してしまうことはない。つまり右側の位置と左側の位置から中央位置に向けて移動させる際に、操作つまみ１０を確実に中央位置で停止させることができる。
【００３８】
さらにこのスライド式電子部品１−１のロック機構においては、ロックつまみ６０に、上ケース３０に設けた第１被当接部３９に対して、ロックつまみ６０を上昇させた状態では当接して操作つまみ１０の中央位置から右側の位置への移動及び右側の位置から中央位置への移動を阻止し、一方ロックつまみ６０を下降させた状態では当接しないで操作つまみ１０の中央位置から右側の位置への移動及び右側の位置から中央位置への移動を可能とする第１当接部６５を設けている。これによってロックつまみ６０を下降させない限り、操作つまみ１０の中央位置から右側の位置への移動と、右側の位置から中央位置への移動とを、確実に阻止している。
【００３９】
一方、ロックつまみ６０に、下ケース１５０に設けた第２被当接部１５５に対して、ロックつまみ６０を下降させた状態では当接して操作つまみ１０の中央位置から左側の位置への移動及び左側の位置から中央位置への移動を阻止し、一方ロックつまみ６０を上昇させた状態では当接しないで操作つまみ１０の中央位置から左側の位置への移動及び左側の位置から中央位置への移動を可能とする第２当接部６９を設けている。これによってロックつまみ６０を上昇させない限り、操作つまみ１０の中央位置から左側の位置への移動と、左側の位置から中央位置への移動とを、確実に阻止している。
【００４０】
また上記スライド式電子部品１−１のロック機構においては、ロックつまみ６０に設ける第１当接部６５と、上ケース３０に設ける第１被当接部３９とを、スライド方向Ａに一対（４つ）設けているが、これはロックの強度を高めるためである。従って場合によっては１つ以上設ければよい。
【００４１】
下ケース１５０に設けた補強部１５７も、第２被当接部１５５の強度を高めてロック機構の強度を向上するために設けられている。そして補強部１５７を避けてロックつまみ６０が上下動できるように、ロックつまみ６０には挿通部７１が形成されている。補強部１５７は、第２被当接部１５５の強度に問題がなければ省略しても良い。
【００４２】
またこのスライド式電子部品１−１においては、上ケース３０と下ケース１５０によって構成されるケース内の天井面に第１被当接部３９を設け、前記ケース内の底面に第２被当接部１５５を設けているが、このようにケース内の天井面と底面という離れた場所を利用してそれぞれ第１，第２被当接部３９，１５５を設置したので、両者の設置及びこれらに対応して設けられるロックつまみ６０の第１，第２当接部６５，６９の設置にスペース的な余裕が生じ、これら第１，第２被当接部３９，１５５及び第１，第２当接部６５，６９の設置が容易になり、スライド式電子部品１−１の小型化にも対応できるようになる。
【００４３】
さらに言えば、このスライド式電子部品１−１においては、ロックつまみ６０は各ポジションにおいて常に押下げできるが、そのポジションに応じて、押下げたときと押下げないときの何れかのみに、ロックつまみ６０を所望の方向に移動させることができる構成となっている。
【００４４】
上記スライド式電子部品１−１では移動方向として直線方向を示したが、移動方向は、円弧方向やその他の曲線方向など、直線方向以外の各種方向であってもよい。
【００４５】
即ち本発明は、例えば図１２に示すように、回転式電子部品１−２のロック機構にも同様に適用できる。この回転式電子部品１−２は、操作つまみ（回転つまみ）２１０を回転することでその検出出力を変化させ、また操作つまみ２１０中央の開口２１１内に設置される揺動板２３０を揺動することによってその検出出力を変化させ、さらに中央の押釦つまみ２５０を押圧することによってその検出出力を変化させる構造に構成されている。
【００４６】
そして操作つまみ２１０の上面の所定位置から、ロックつまみ２６０のつまみ部２６１を露出させている。そして操作つまみ２１０の下面側に、前記スライド式電子部品１−１のロック機構と同様のロック機構が収納・設置されている。
【００４７】
これによってスライド式電子部品１−１と同様に、操作つまみ２１０が中央位置（図示の位置）に位置する際、ロックつまみ２６０を下降した状態では操作つまみ２１０を中央位置と右回転側（一方）の位置間のみ移動可能であり（ロックつまみ２６０を押圧した状態では、操作つまみ２１０及びロックつまみ２６０は中央位置と左回転側（他方）の位置間では何れの方向にも移動できない）、一方ロックつまみ２６０を上昇させた状態では操作つまみ２１０を中央位置と左回転側（他方）の位置間のみ移動可能になる（ロックつまみ２６０が上昇した状態では、操作つまみ２１０及びロックつまみ２６０は中央位置と右回転側（一方）の位置間では何れの方向にも移動できない）ように構成できる。
【００４８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記例では、操作つまみを、中央位置とその両側１つずつの位置の３ポジションだけに移動可能に構成したが、中央位置とその両側の１又は２以上の位置の４ポジション以上に移動可能に構成しても良い。また上記例では検出手段として摺動子と摺接パターンを用いたが、他の各種構成の検出手段であっても良いことは言うまでもない。また上記例では第１被当接部を上ケースに設け、第２被当接部を下ケースに設けたが、第１，第２被当接部は、上下ケース以外の静止側部材に設けても良い。
【符号の説明】
【００４９】
１−１  スライド式電子部品（電子部品）
１０  操作つまみ
３０  上ケース（ケース、静止側部材）
３１  載置部
３９  第１被当接部
４１  第１被当接面
６０  ロックつまみ
６３  つまみ部
６５  第１当接部
６７  第１当接面
６９  第２当接部
７３  第２当接面
９０  移動体
１２０  摺動子取付体
１３０  摺動子（検出手段）
１４０  フレキシブル回路基板（回路基板、静止側部材）
１４３  摺接パターン（検出手段）
１５０  下ケース（ケース、静止側部材）
１５５  第２被当接部
１５７  補強部
１５９  第２被当接面
１−２  回転式電子部品（電子部品）
２１０  回転つまみ（操作つまみ）
２６０  ロックつまみ
２６１  つまみ部
【図１】
2015032485.tif 000003
【図２】
2015032485.tif 000004
【図３】
2015032485.tif 000005
【図４】
2015032485.tif 000006
【図５】
2015032485.tif 000007
【図６】
2015032485.tif 000008
【図７】
2015032485.tif 000009
【図８】
2015032485.tif 000010
【図９】
2015032485.tif 000011
【図１０】
2015032485.tif 000012
【図１１】
2015032485.tif 000013
【図１２】
2015032485.tif 000014